(57)【要約】【課題】  筐体からの突起をなくし、さらに、アンテナと無線部とを接続する同軸ケーブルを不要とすることができる折り畳み型携帯無線機を提供する。【解決手段】  上部筐体１と下部筐体２とがヒンジ部１９を介して揺動可能に接続されている折り畳み型携帯無線機において、アンテナ部１２を下部筐体２の内部において下部筐体２の下端に配置する。【選択図】  図１
2004236360.tif 000002
【特許請求の範囲】
【請求項１】
複数の筐体と、前記複数の筐体を揺動可能に相互に接続する１つ以上のヒンジ部と、を備える折り畳み型携帯無線機であって、
前記複数の筐体のうち、第１の筐体は、マイクと回路基板とを格納し、かつ、前記第１の筐体から外部に突出させることなく、アンテナ部を実装していることを特徴とする折り畳み型携帯無線機。
【請求項２】
前記アンテナ部は前記第１の筐体内に内蔵されていることを特徴とする請求項１記載の折り畳み型携帯無線機。
【請求項３】
前記アンテナ部は、前記ヒンジ部が接続されている前記第１の筐体の端部とは反対側の端部において前記第１の筐体に実装されていることを特徴とする請求項１又は２に記載の折り畳み型携帯無線機。
【請求項４】
前記複数の筐体は、前記折り畳み型携帯無線機を開いたときに上部に位置する上部筐体と下部に位置する下部筐体とからなり、
前記第１の筐体は前記下部筐体であることを特徴とする請求項１乃至３の何れか１項に記載の折り畳み型携帯無線機。
【請求項５】
前記アンテナ部は、前記第１の筐体内に実装されている前記回路基板が広がる方向と垂直の方向において広がるように配置されていることを特徴とする請求項１乃至４の何れか一項に記載の折り畳み型携帯無線機。
【請求項６】
前記第１の筐体は前記第２の筐体よりも長く、前記折り畳み型携帯無線機の折り畳み時には、前記第１の筐体が前記第２の筐体を越えて突出することを特徴とする請求項１乃至５の何れか１項に記載の折り畳み型携帯無線機。
【請求項７】
前記アンテナ部は板状アンテナであることを特徴とする請求項１乃至６の何れか１項に記載の折り畳み型携帯無線機。
【請求項８】
前記アンテナ部は線状アンテナであることを特徴とする請求項１乃至６の何れか１項に記載の折り畳み型携帯無線機。
【請求項９】
前記アンテナ部はメアンダラインアンテナであることを特徴とする請求項８に記載の折り畳み型携帯無線機。
【請求項１０】
前記アンテナ部はフラフープアンテナであることを特徴とする請求項８に記載の折り畳み型携帯無線機。
【請求項１１】
前記アンテナ部はヘリカルアンテナであることを特徴とする請求項８に記載の折り畳み型携帯無線機。
【請求項１２】
前記第一の筐体は、前記折り畳み型携帯無線機を折り畳んだときに他の一の筐体と対向する前面部と、前記前面部と相互に重なり合って前記第１の筐体を構成する背面部と、からなり、
前記前面部は絶縁体により構成されたことを特徴とする請求項１乃至１１の何れか１項に記載の折り畳み型携帯無線機。
【請求項１３】
前記第一の筐体は、前記折り畳み型携帯無線機を折り畳んだときに他の一の筐体と対向する前面部と、前記前面部と相互に重なり合って前記第１の筐体を構成する背面部と、からなり、
前記前面部は金属により構成され、かつ、前記アンテナ部とは電気的に絶縁されていることを特徴とする請求項１乃至１１の何れか１項に記載の折り畳み型携帯無線機。
【発明の詳細な説明】
【技術分野】
【０００１】
本発明は、上部筐体と下部筐体とをヒンジ部を介して揺動可能に形成した折り畳み型携帯無線機に関し、特に、アンテナ部が下部筐体に内蔵されている折り畳み型携帯無線機に関する。
【背景技術】
【０００２】
近年、移動体通信の技術が発展し、これに伴い、携帯無線機の普及が急増してきた。このような状況下において、ユーザから要求される様々なニーズに応じるため、携帯無線機の製造者は多種多様な形態をした携帯無線機を市場に提供している。
【０００３】
特に、昨今においては、携帯無線機によるインターネット等への接続を可能とする技術が開発され、これに伴い、モニタの大型化がユーザから強く要望されている。このようなニーズに応じる携帯無線機として、筐体が上部と下部に分離され、これら２つの筐体をヒンジ部と呼ばれる接続部を介して相互に揺動可能であるように結合した折り畳み式の携帯無線機が存在する。
【０００４】
この折り畳み型携帯無線機は、ユーザとのインターフェースとなる操作部とユーザに文字その他の情報を提供する表示部との面積を広く確保することができるとともに、不使用時は折り畳んだ状態で省スペース化を図ることができ、また、使用時に展開したときは、マイクとレシーバとの間隔を人の耳と口との間隔に近くなるように設計することが可能となるため、通話時に良好な通信品質を提供することができるという特徴があり、上記のようなニーズに十分応じるものとして、多くの需要を確保している。
【０００５】
さらに、インターネットを介して得られる情報をより多く表示するために、表示部を構成する液晶表示（ＬＣＤ）画面は大型化が進み、かつ、白黒からカラー化となり益々大きくなっているが、携帯無線機自体は、持ち運び時に邪魔にならないように薄型軽量化が進んでいる。
【０００６】
また、携帯無線機は、無線通信を行うためのアンテナを装備する必要があるが、このアンテナとしては、持ち運びに邪魔にならないような伸張収納可能なホイップアンテナが広く用いられている。ホイップアンテナは、携帯無線機の使用時には、伸張して使用され、携帯無線機の待ち受け状態においては、携帯無線機の内部に収納されているが、待ち受け状態の間であっても基地局との通信を行うことがあるため、収納状態でも携帯無線機から突出した構造を取っている。
【０００７】
このような折り畳み型携帯無線機の一例の構成を図７に示す。
【０００８】
図７に示した従来の折り畳み型携帯無線機は、上部筐体１と下部筐体２とを有して構成されている。上部筐体１は、同一の大きさの上部筐体前面部３と上部筐体背面部４とを重ね合わせることにより構成されており、また、下部筐体２は、同一の大きさの下部筐体前面部５と下部筐体背面部６とを重ね合わせて構成されている。
【０００９】
上部筐体１の上部筐体背面部４の上端には、ホイップアンテナからなるアンテナ部１２が上部筐体１から突出して配置されている。アンテナ部１２はさらに上部筐体１の外側に向かって伸張可能であるとともに、上部筐体１の内部に収縮可能である。アンテナ部１２が上部筐体１の内部に収縮するためのスペースとして、上部筐体１の内部にはアンテナ収納部２４が設けられている。
【００１０】
上部筐体１の内部には、上部筐体回路基板８と、上部筐体回路部１０と、レシーバ１５と、表示部２０と、アンテナ部１２へ電力を供給するための給電端子１３と、が格納されている。
【００１１】
また、下部筐体２の内部には、電池７と、下部筐体回路基板９と、下部筐体回路部１１と、マイク１６と、キー操作部１７と、外部インターフェース２１と、が格納されている。
【００１２】
上部筐体１と下部筐体２とは、ヒンジ部１９を介して、相互に揺動可能であるように接続されており、折り畳み及び展開が可能なように構成されている。図７は、上部筐体１と下部筐体２とが展開されている状態を示している。
【００１３】
このような折り畳み型携帯無線機において、電池７が下部筐体２に配置されているのは、折り畳み型携帯無線機を保持する場合の重量バランスや机上に置いた場合の安定性の面が考慮されたものである。
【００１４】
また、最も電流を消費する送信部（図示せず）を含む下部筐体回路部１１は、電源パターン毎における電圧ドロップを低減させるために、電池７に近接した場所に設けることが望ましいため、下部筐体２の内部に配置されている。更に、このように下部筐体回路部１１を下部筐体２の内部に設けることは、折り畳み型携帯無線機の薄型化の観点からも好都合であった。
【００１５】
また、上部筐体回路基板８と下部筐体回路基板９とは、所定の導体パターンを有する上下回路部接続部１８を介して電気的に接続され、この上下回路部接続部１８を介して信号の送受信を行う。また、電池７は、下部筐体回路基板９に接続され、下部筐体回路基板９を介して各構成部品に電力を供給している。
【００１６】
上下回路部接続部１８は、多くの場合、フレキシブルプリント板（フレキシブル基板）等で構成されている。このようにフレキシブルプリント板を用いるのは、上部筐体１及び下部筐体２がヒンジ部１９において揺動するため、この揺動の際に導体部としての上下回路部接続部１８が破損しないようにするためである。
【００１７】
また、図７に示す従来の折り畳み型携帯無線機においては、強度確保の観点から、上部筐体前面部３と下部筐体前面部５とは金属から構成されていた。
【００１８】
これに対して、アンテナ部１２は上部筐体背面部４に配置されており、上部筐体回路部１０に設けられた給電端子１３と接触接続されていた。更に、この給電端子１３は同軸ケーブル２５に接続されている。同軸ケーブル２５は、給電端子１３からヒンジ部１９を通り下部筐体回路部１１に接続されている。このため、給電端子１３は同軸ケーブル２５を介して下部筐体回路部１１と送受信を行っている。この同軸ケーブル２５は、図示しないケーブル留め金具により所定の位置に固定されている。
【発明の開示】
【発明が解決しようとする課題】
【００１９】
図８は図７に示した折り畳み型携帯無線機の正面図であり、図８のＡ−Ａ線、Ｂ−Ｂ線における断面図をそれぞれ図９、図１０に示す。図９（ａ）及び図１０（ａ）はいずれも折り畳み型携帯無線機を展開したときの断面図であり、図９（ｂ）及び図１０（ｂ）はいずれも折り畳み型携帯無線機を折り畳んだときの断面図である。
【００２０】
従来の折り畳み型携帯無線機では、アンテナ部１２が上部筐体１に配置されているため、アンテナ部１２を上部筐体１内に収納した場合のスペースとしてアンテナ収納部２４を上部筐体１の内部に設けておくことが必要であった。そのため、このような構造を有する折り畳み型携帯無線機では、折り畳み時の筐体厚を薄型化すると、相対的にアンテナ部１２が上部筐体背面部４から突出してしまっていた。
【００２１】
その結果、アンテナは大幅な小型化が進まない反面、携帯無線機は薄型軽量化が進み、さらに、表示部２０が大型化されたため、アンテナ部１２を収納した時のアンテナ収納部２４が上部筐体背面部４から更に突出してしまい、小型化の妨げになるとともに、外観を損ね、デザインに対する自由度を奪うという問題があった。
【００２２】
このような問題を改善するために、図１１に示すように、アンテナ部１２を下部筐体２側に実装した折り畳み型携帯無線機等も考えられている。
【００２３】
しかしながら、実際に音声通話を行うときには下部筐体２を手で保持して通話を行うため、アンテナ部１２を図１１に示すように下部筐体２に実装すると、使用者の手がアンテナ部１２に触れてしまい、アンテナ部１２のアンテナ特性が劣化するという問題があった。
【００２４】
更に、アンテナ部１２を上部筐体１もしくは下部筐体２のいずれに実装しても、アンテナ部１２を収納したときの突出量は変わらないため、使用者がポケット等から出すときにアンテナ部１２が引っかかってしまう等の問題があった。
【００２５】
また、ホイップアンテナからなるアンテナ部１２が上部筐体１又は下部筐体２から突出しているため、携帯無線機をホイップアンテナ側から落下させてしまった時に、ホイップアンテナに衝撃が加わってしまい、アンテナ部１２が壊れやすいという問題があった。
【００２６】
さらに、図７に示した従来の折り畳み型携帯無線機の構造では、アンテナ部１２と下部筐体回路部１１とを接続させるために同軸ケーブル２５を設ける必要があり、製造工程における組み立て性（組み立て効率）が折り畳み式ではない携帯無線機よりも劣ってしまうという問題が存在していた。
【００２７】
本発明は、従来の折り畳み型携帯無線機における上記の問題点に鑑みてなされたものであり、従来のような筐体からのアンテナ部の突起をなくし、持ち運び時の引っかかりや、落下によるアンテナ部の破損を減らすことができる折り畳み型携帯無線機を提供することを目的とする。
【００２８】
また、実際の音声通話時には、使用者はヒンジ部付近を手で保持することが多いため、実際の音声通話時に使用者が手でアンテナ部に触れないような構造を有する折り畳み型携帯無線機を提供することを目的とする。
【００２９】
さらに、アンテナ部と下部筐体回路部とを接続するための同軸ケーブルを不要とし、組み立て性の向上及びコスト削減が可能な折り畳み型携帯無線機を提供することを目的とする。
【課題を解決するための手段】
【００３０】
本発明に係る折り畳み型携帯無線機は、筐体内部の空間を有効利用し、アンテナ部を筐体、特に、下部筐体の内部に格納することにより、上記の目的を達成している。
【００３１】
具体的には、本発明は、複数の筐体と、前記複数の筐体を揺動可能に相互に接続する１つ以上のヒンジ部と、を備える折り畳み型携帯無線機であって、前記複数の筐体のうち、第１の筐体は、マイクと回路基板とを格納し、かつ、前記第１の筐体から外部に突出させることなく、アンテナ部を実装していることを特徴とする折り畳み型携帯無線機を提供する。
【００３２】
このように、本発明に係る折り畳み型携帯無線機によれば、従来の折り畳み型携帯無線機におけるような筐体からのアンテナ部の突出をなくし、デザインの自由度を上げるとともに、ポケットなどから携帯無線機を取り出すときの引っかかりをなくすことが可能となる。
【００３３】
また、本発明による折り畳み型携帯無線機では、アンテナ部と回路基板とが同一の筐体に実装されることになるため、従来必要とされていたアンテナ部と下部筐体回路部とを接続する同軸ケーブルが組み込まれない構成となり、組み立て効率（生産性）を向上させることが可能となり、筐体内部の空間を有効利用することが可能となる。
【００３４】
さらに、アンテナ部が第１の筐体に突出することなく実装されることにより、通話状態の時に筐体を保持する手がアンテナに掛かりにくくなるため、アンテナ特性の劣化を防ぐことができる。
【００３５】
前記アンテナ部は、例えば、前記第１の筐体内に内蔵することが可能である。
【００３６】
これにより、アンテナ部が筐体から外側に突出することは皆無となり、デザインの自由度の向上、アンテナ部のポケットへの引っかかりの防止、さらには、使用者の手がアンテナ部に触れることによるアンテナ部のアンテナ特性の劣化の防止を図ることができる。
【００３７】
前記アンテナ部は、例えば、前記ヒンジ部が接続されている前記第１の筐体の端部とは反対側の端部において前記第１の筐体に実装することができる。
【００３８】
アンテナ部は第１の筐体の内部であれば、任意の位置に配置することが可能であるが、このように第１の筐体のヒンジ部とは反対側の端部に配置することにより、第１の筐体の内部スペースの有効利用を図ることができる。第１の筐体のヒンジ部に近い方の端部には、フレキシブルプリント板からなる上下回路部接続部１８（図７参照）などが配置される関係上、スペースの余裕が少ないので、アンテナ部はヒンジ部とは反対側の端部に配置することが好ましい。
【００３９】
本発明に係る折り畳み型携帯無線機を構成する複数の筐体は、例えば、前記折り畳み型携帯無線機を開いたときに上部に位置する上部筐体と下部に位置する下部筐体とすることができる。この場合、前記第１の筐体としては前記下部筐体を選択することができる。
【００４０】
すなわち、本発明は、複数の筐体からなる折り畳み型携帯無線機であれば、どのような形式ものにも適用することが可能である。なお、上部筐体と下部筐体とからなる折り畳み型携帯無線機は現在広く使用されている形式のものである。
【００４１】
前記アンテナ部は、前記第１の筐体内に実装されている前記回路基板が広がる方向と垂直の方向において広がるように配置することができる。
【００４２】
アンテナ部としては、例えば、板金からつくられた板状アンテナを用いることができる。
【００４３】
このようにアンテナ部を板状に形成することにより、大きなスペースをとることなく、アンテナ部を第１の筐体の内部に収納することができる。
【００４４】
また、アンテナ部として板状アンテナを用いる場合、回路基板とアンテナ部とが広がる方向を相互に異なる方向にすることにより、第１の筐体の内部スペースをより有効に活用することが可能である。特に、回路基板が広がる方向とアンテナ部が広がる方向との間の角度を９０度にする場合、第１の筐体の内部スペースを最も有効に活用することができる。
【００４５】
前記第１の筐体は前記第２の筐体よりも長く、前記折り畳み型携帯無線機の折り畳み時には、前記第１の筐体が前記第２の筐体を越えて突出するように形成することができる。
【００４６】
例えば、アンテナ部を第１の筐体の端部に配置し、折り畳み型携帯無線機を折り畳んだときに、その端部が第２の筐体により覆われないことにすることにより、アンテナ部が第２の筐体から影響を受けることを防止することができ、アンテナ部のアンテナ特性の劣化を防止することができる。
【００４７】
アンテナ部の形状は任意であり、前述の板状アンテナには限定されない。例えば、アンテナ部を線状アンテナから構成することも可能である。
【００４８】
線状アンテナを用いることにより、第１の筐体内の空いている内部スペースに合わせてアンテナ部を配置することが可能になる。
【００４９】
線状アンテナとしては、例えば、メアンダラインアンテナ、フラフープアンテナまたはヘリカルアンテナを用いることができる。
【００５０】
前記第一の筐体は、例えば、前記折り畳み型携帯無線機を折り畳んだときに他の一の筐体と対向する前面部と、前記前面部と相互に重なり合って前記第１の筐体を構成する背面部と、から構成することができる。この場合、前記前面部は絶縁体により構成することが好ましい。あるいは、前記前面部を金属から構成する場合には、前記前面部は前記アンテナ部とは電気的に絶縁されていることが好ましい。
【００５１】
このように構成することにより、アンテナ部が筐体を構成する金属の影響を受けることを防止することができる。
【発明の効果】
【００５２】
以上説明したように、本発明に係る折り畳み型形態無線機によれば、以下に挙げるような効果を得ることが可能である。
【００５３】
先ず、第１の効果としては、下部筐体回路部の無線部とアンテナ部とを接続するための同軸ケーブルを不要とすることができ、折り畳み型形態無線機の構造の簡素化及び組み立て性の向上、さらにはコスト低減を図ることができる。
【００５４】
また、第２の効果としては、アンテナ部による筐体背面の突出量をなくすことにより、デザインの自由度を上げ、さらに、持ち運び時に引っかかりがなくなり、落下時の衝撃がアンテナに集中することがないため、アンテナ部の破損を減らすことが可能となる。
【００５５】
さらに、第３の効果としては、アンテナを下部筐体のマイク近傍に配置することにより、筐体を保持するユーザの手がアンテナに掛かりにくくなるため、アンテナ特性の劣化を軽減することが可能となる。
【００５６】
第４の効果としては、電池が格納されている下部筐体内部において下部筐体回路基板と垂直にアンテナを配置することにより、アンテナの体積を十分に確保することが可能となり、特性が良いアンテナを実現することが可能となる。
【発明を実施するための最良の形態】
【００５７】
図１は、本発明の第１の実施形態に係る折り畳み型携帯無線機の構成を示す斜視図である。図２（ａ）は本実施形態に係る折り畳み型携帯無線機を展開したときの断面図であり、図２（ｂ）は本実施形態に係る折り畳み型携帯無線機を折り畳んだときの断面図である。
【００５８】
図１において、本実施形態に係る折り畳み型携帯無線機は、上部筐体１と下部筐体２とを有して構成されている。上部筐体１は、同一の大きさの上部筐体前面部３と上部筐体背面部４とを重ね合わせることにより構成されており、また、下部筐体２は、同一の大きさの下部筐体前面部５と下部筐体背面部６とを重ね合わせて構成されている。
【００５９】
上部筐体１と下部筐体２とは、ヒンジ部１９を介して、相互に揺動可能であるように接続されており、折り畳み及び展開が可能なように構成されている。図１は、上部筐体１と下部筐体２とが展開されている状態を示している。
【００６０】
上部筐体１の内部には、上部筐体回路基板８と、上部筐体回路部１０と、レシーバ１５と、表示部２０と、が格納されている。
【００６１】
また、下部筐体２の内部には、電池７と、下部筐体回路基板９と、下部筐体回路部１１と、給電端子１３と、マイク１６と、キー操作部１７と、アンテナ１２と、が格納されている。
【００６２】
アンテナ１２は、下部筐体２の長さ方向における両端部のうち、下部筐体２が上部筐体１と接続されるヒンジ部１９とは反対側の端部において、マイク１６の近傍に実装されている。
【００６３】
また、キー操作部１７は下部筐体前面部５の表面に露出しているものであり、ユーザと上部筐体回路部１０及び下部筐体回路部１１に配置された制御部（図示せず）とのインタフェースとなるものである。
【００６４】
一方、上部筐体１に格納された上部筐体回路部１０は、上部筐体１及び下部筐体２に格納された各回路部を制御するための回路であり、レシーバ１５は、ユーザに対して音声の入出力インタフェースとして機能するものであり、また、表示部２０は、上部筐体前面部３の表面に露出しており、ユーザに対して文字、図画その他の各種情報を視覚的に提供するものである。
【００６５】
さらに、上部筐体回路基板８と下部筐体回路基板９とは、ヒンジ部１９を通って上部筐体１及び下部筐体２の双方に達している上下回路部接続部１８を介して接続されている。この上下回路部接続部１８は、本実施形態においてはフレキシブルプリント板により製造されており、揺動可能なヒンジ部１９の変形（折り畳み時及び展開時）に応じて変形し、上部筐体回路基板８と下部筐体回路基板９とが常時接続されている状態を保持するように動作する。本実施形態においては、上下回路部接続部１８が帯状の直線状になっているが、蛇腹状にしたり、数回巻いて伸縮性を持たせたりすることにより、ヒンジ部１９の変形に対応するように構成することも可能である。
【００６６】
また、電池７は下部筐体回路基板９に対して電源を供給し、この下部筐体回路基板９を介して下部筐体回路部１１に電源が供給される。さらに、電池７は、下部筐体回路基板９から上下回路部接続部１８を介して、上部筐体１に格納されている上部筐体回路基板８に対して電源を供給し、上部筐体回路基板８から上部筐体回路部１０に電源が供給される。
【００６７】
なお、下部筐体２に格納された下部筐体回路部１１は送受信に必要な各回路を含むものであり、送信する情報に対して必要に応じて拡散変調等の処理を実行するものである。
【００６８】
本実施形態に係る折り畳み型携帯無線機においては、下部筐体回路部１１と電池７とがともに下部筐体２に格納されているため、電池７と下部筐体回路部１１とを接続する導線の距離を従来よりも短くすることが可能となる。この結果、上記のような構成の簡略化（組み立て性の向上）の効果の他に、送信時に下部筐体回路部１１に対して大きな電流を供給しても、他の回路に供給される電圧が降下することを防止できるという効果も得られる。
【００６９】
本実施形態に係る折り畳み型携帯無線機においては、アンテナ１２は板状アンテナから構成されている。板状アンテナ１２は、下部筐体回路基板９に対して直角に配置され、板状アンテナ１２に給電を行う給電端子１３を介して下部筐体回路基板９に接続され、アンテナとして動作する。
【００７０】
図７に示したように、従来の折り畳み型携帯無線機におけるアンテナ部１２は上部筐体１に配置されており、下部筐体回路部１１に形成されている無線部と同軸ケーブル２５を介して接続されるものであった。
【００７１】
これに対して、本実施形態においては、下部筐体回路部１１とアンテナ部１２とを接続するにあたり同軸ケーブルを必要としない。すなわち、本実施形態においては、アンテナ部１２は、給電端子１３及びインピーダンス整合回路（図示せず）を介して、下部筐体回路部１１と接続されている。
【００７２】
ここで、インピーダンス整合回路は、アンテナ部１２と下部筐体回路部１１との間において信号の反射が生じることを防止するための回路であり、アンテナ部１２の方向への入力インピーダンスと、インピーダンス整合回路を含む下部筐体回路部１１側からの出力インピーダンスとを等しくさせるための回路である。
【００７３】
折り畳み型携帯無線機の折り畳み時に、アンテナ１２が上部筐体部１と対向してしまうと、アンテナ１２のインピーダンス特性に影響を与えてしまうことがある。このため、本実施形態に係る折り畳み型携帯無線機においては、図２（ｂ）に示すように、本実施形態に係る折り畳み型携帯無線機の折り畳み時にアンテナ１２が上部筐体１に対向しないように上下筐体長の長さを調整し、アンテナ部１２が実装されている下部筐体２が上部筐体１よりも長くなるように設定されている。これにより、本実施形態に係る折り畳み型携帯無線機の折り畳み時においても、アンテナ１２が上部筐体１と対向することを防止することができ、アンテナ１２のアンテナ特性を確保することが可能となる。
【００７４】
なお、アンテナ１２として板状アンテナを用いた場合には、アンテナ１２がグランドと対向すると特性が劣化することが分かっているため、下部筐体前面部５はモールド等の絶縁体から構成する必要がある。
【００７５】
また、下部筐体前面部５を金属その他の導電性材料により構成する場合には、例えば、アンテナ１２の周囲を絶縁体により形成し、下部筐体前面部５とアンテナ１２とが電気的に絶縁されていることが必要である。例えば、下部筐体前面部５にマグネシウムダイキャスト等の金属を用いる場合には、アンテナ１２の部分を別ピースにし、金属がアンテナ１２を覆わないように構成する必要がある。
【００７６】
また、下部筐体前面部５にメッキや蒸着を施す場合には、アンテナ１２と対向する部分については、メッキ金属などの導体が付着しないようにマスクをかける必要がある。さらに、蒸着した領域と下部筐体回路基板９とを接続し、同電位になるようにする必要がある。
【００７７】
図３は、本発明の第２の実施形態に係る折り畳み型携帯無線機の構成を示す斜視図である。
【００７８】
第１の実施形態においては、アンテナ１２に板状アンテナを用いたが、本実施形態のように線状アンテナを用いることも可能である。
【００７９】
本実施形態においては、板状アンテナ１２に代えて、メアンダ状の線状アンテナを用いている。アンテナ１２以外の構造は第１の実施形態に係る折り畳み型携帯無線機と同じである。
【００８０】
図４は、本発明の第３の実施形態に係る折り畳み型携帯無線機の構成を示す斜視図である。
【００８１】
第２の実施形態においては、線状アンテナとしてメアンダアンテナを用いたが、本実施形態においては、フラフープアンテナを用いている。
【００８２】
アンテナ１２以外の構造は第１又は第２の実施形態に係る折り畳み型携帯無線機と同じである。
【００８３】
図５は、本発明の第４の実施形態に係る折り畳み型携帯無線機の構成を示す斜視図である。図６（ａ）は本実施形態に係る折り畳み型携帯無線機の展開時における断面図であり、図６（ｂ）は本実施形態に係る折り畳み型携帯無線機の折り畳み時における断面図である。
【００８４】
第２及び第３の実施形態においては、それぞれ線状アンテナとしてメアンダアンテナ及びフラフープアンテナを用いたが、本実施形態においては、それらに代えて、ヘリカルアンテナを用いている。
【００８５】
アンテナ１２以外の構造は第１、第２又は第３の実施形態に係る折り畳み型携帯無線機と同じである。
【００８６】
以上のように、第１乃至第４の実施形態に係る携帯無線機によれば、アンテナ１２は下部筐体２の内部に内蔵されるため、図７に示した従来の折り畳み型携帯無線機には存在していた突出部をなくすことができる。このため、折り畳み型携帯無線機のデザインの自由度を向上させることができるとともに、持ち運び時の引っかかりを防止することができる。
【００８７】
また、第１乃至第４の実施形態に係る携帯無線機によれば、下部筐体回路部１１内の無線部とアンテナ部１２とを接続するために従来用いられていた同軸ケーブル２５を不要とすることができ、部品点数の低減、組み立て性の向上などを図ることができる。
【００８８】
さらに、アンテナ１２は下部筐体２の内部に内蔵されるため、アンテナ１２がユーザの手に触れることがなくなり、アンテナ特性の劣化を軽減することが可能となる。
【図面の簡単な説明】
【００８９】
【図１】本発明の第１の実施形態に係る折り畳み型携帯無線機の構成を示す斜視図である。
【図２】本発明の第１の実施形態に係る折り畳み型携帯無線機の展開時及び折り畳み時における断面図である。
【図３】本発明の第２の実施形態に係る折り畳み型携帯無線機の構成を示す斜視図である。
【図４】本発明の第３の実施形態に係る折り畳み型携帯無線機の構成を示す斜視図である。
【図５】本発明の第４の実施形態に係る折り畳み型携帯無線機の構成を示す斜視図である。
【図６】本発明の第４の実施形態に係る折り畳み型携帯無線機の展開時及び折り畳み時における断面図である。
【図７】従来の折り畳み型携帯無線機の構成を示す斜視図である。
【図８】図７に示した折り畳み型携帯無線機の正面図である。
【図９】図７に示した折り畳み型携帯無線機の展開時及び折り畳み時における図７のＡ−Ａ線における断面図である。
【図１０】図７に示した折り畳み型携帯無線機の展開時及び折り畳み時における図７のＢ−Ｂ線における断面図である。
【図１１】従来の他の折り畳み型携帯無線機の構成を示す斜視図である。
【符号の説明】
【００９０】
１  上部筐体
２  下部筐体
３  上部筐体前面部
４  上部筐体背面部
５  下部筐体前面部
６  下部筐体背面部
７  電池
８  上部筐体回路基板
９  下部筐体回路基板
１０  上部筐体回路部
１１  下部筐体回路部
１２  アンテナ部
１３  給電端子
１５  レシーバ
１６  マイク
１７  キー操作部
１８  上下回路部接続部
１９  ヒンジ部
２０  表示部
２１  外部インターフェース
【図１】
2004236360.tif 000003
【図２】
2004236360.tif 000004
【図３】
2004236360.tif 000005
【図４】
2004236360.tif 000006
【図５】
2004236360.tif 000007
【図６】
2004236360.tif 000008
【図７】
2004236360.tif 000009
【図８】
2004236360.tif 000010
【図９】
2004236360.tif 000011
【図１０】
2004236360.tif 000012
【図１１】
2004236360.tif 000013
【手続補正書】
【提出日】平成16年6月22日(2004.6.22)
【手続補正１】
【補正対象書類名】特許請求の範囲
【補正対象項目名】全文
【補正方法】変更
【補正の内容】
【特許請求の範囲】
【請求項１】
第１の筐体と、第２の筐体と、前記第１の筐体と前記第２の筐体とを展開可能に相互に接続する１つ以上のヒンジ部と、を備える携帯無線機であって、
前記第１の筐体はアンテナ部を具備し、
前記第１の筐体は、前記第１の筐体と前記第２の筐体とを相互に重ね合わせた状態のときに、前記ヒンジ部とは反対側の端部が、該ヒンジ部から遠い側に向けて突出する突出部となるように、前記第２の筐体よりも長く形成され、
前記第１の筐体の前記突出部内には前記アンテナ部が内蔵され、
前記アンテナ部は、前記突出部において、前記ヒンジ部から最も離れた端面近傍に配置されていることを特徴とする携帯無線機。
【請求項２】
第１の筐体と、第２の筐体と、前記第１の筐体と前記第２の筐体とを展開可能に相互に接続する１つ以上のヒンジ部と、を備える携帯無線機であって、
前記第１の筐体はアンテナ部を具備し、
前記第１の筐体は、前記第１の筐体と前記第２の筐体とを相互に重ね合わせた状態のときに、前記ヒンジ部とは反対側の端部が、該ヒンジ部から遠い側に向けて突出する突出部となるように、前記第２の筐体よりも長く形成され、
前記第１の筐体の前記突出部内には前記アンテナ部が内蔵され、
前記アンテナ部は、前記突出部において、前記ヒンジ部から最遠の位置に配置されていることを特徴とする携帯無線機。
【請求項３】
前記第１の筐体は、更に回路基板を内蔵し、
前記アンテナ部は、前記回路基板に対して略垂直に広がる面内に配置されていることを特徴とする請求項１又は２に記載の携帯無線機。
【請求項４】
前記携帯無線機は、前記ヒンジ部を介して揺動可能に形成した折り畳み型携帯無線機であることを特徴とする請求項１乃至３の何れか一項に記載の携帯無線機。
【請求項５】
前記アンテナ部は、その長手方向が前記ヒンジ部のヒンジ軸方向に沿うように配置されていることを特徴とする請求項４に記載の携帯無線機。
【請求項６】
前記第１の筐体は、該第１の筐体と前記第２の筐体とを相互に重ね合わせた重ね合わせ状態のときに下部に位置する下部筐体である一方で、前記第２の筐体は、前記重ね合わせ状態のときに上部に位置する上部筐体であることを特徴とする請求項１乃至５の何れか１項に記載の携帯無線機。
【請求項７】
前記回路基板には無線回路が備えられていることを特徴とする請求項３に記載の携帯無線機。
【請求項８】
前記第１の筐体にはキー操作部が備えられていることを特徴とする請求項１乃至７の何れか一項に記載の携帯無線機。
【請求項９】
前記アンテナ部は板状アンテナであることを特徴とする請求項１乃至８の何れか一項に記載の携帯無線機。
【請求項１０】
前記アンテナ部は線状アンテナであることを特徴とする請求項１乃至８の何れか１項に記載の携帯無線機。
【請求項１１】
前記アンテナ部はメアンダラインアンテナであることを特徴とする請求項１０に記載の携帯無線機。
【請求項１２】
前記アンテナ部はフラフープアンテナであることを特徴とする請求項１０に記載の携帯無線機。
【手続補正３】
【補正対象書類名】明細書
【補正対象項目名】０００１
【補正方法】変更
【補正の内容】
【０００１】
本発明は、携帯無線機に関する。
【手続補正４】
【補正対象書類名】明細書
【補正対象項目名】００２７
【補正方法】変更
【補正の内容】
【００２７】
本発明は、従来の折り畳み型携帯無線機における上記の問題点に鑑みてなされたものであり、従来のような筐体からのアンテナ部の突起をなくし、持ち運び時の引っかかりや、落下によるアンテナ部の破損を減らすことができる携帯無線機を提供することを目的とする。
【手続補正５】
【補正対象書類名】明細書
【補正対象項目名】００２８
【補正方法】変更
【補正の内容】
【００２８】
また、実際の音声通話時には、使用者はヒンジ部付近を手で保持することが多いため、実際の音声通話時に使用者が手でアンテナ部に触れないような構造を有する携帯無線機を提供することを目的とする。
【手続補正６】
【補正対象書類名】明細書
【補正対象項目名】００２９
【補正方法】変更
【補正の内容】
【００２９】
さらに、アンテナ部と下部筐体回路部とを接続するための同軸ケーブルを不要とし、組み立て性の向上及びコスト削減が可能な携帯無線機を提供することを目的とする。
【手続補正７】
【補正対象書類名】明細書
【補正対象項目名】００３０
【補正方法】変更
【補正の内容】
【００３０】
本発明は、第１の筐体と、第２の筐体と、前記第１の筐体と前記第２の筐体とを展開可能に相互に接続する１つ以上のヒンジ部と、を備える携帯無線機であって、前記第１の筐体はアンテナ部を具備し、前記第１の筐体は、前記第１の筐体と前記第２の筐体とを相互に重ね合わせた状態のときに、前記ヒンジ部とは反対側の端部が、該ヒンジ部から遠い側に向けて突出する突出部となるように、前記第２の筐体よりも長く形成され、前記第１の筐体の前記突出部内には前記アンテナ部が内蔵され、前記アンテナ部は、前記突出部において、前記ヒンジ部から最も離れた端面近傍に配置されていることを特徴とする携帯無線機を提供する。
【手続補正８】
【補正対象書類名】明細書
【補正対象項目名】００３１
【補正方法】変更
【補正の内容】
【００３１】
また、本発明は、第１の筐体と、第２の筐体と、前記第１の筐体と前記第２の筐体とを展開可能に相互に接続する１つ以上のヒンジ部と、を備える携帯無線機であって、前記第１の筐体はアンテナ部を具備し、前記第１の筐体は、前記第１の筐体と前記第２の筐体とを相互に重ね合わせた状態のときに、前記ヒンジ部とは反対側の端部が、該ヒンジ部から遠い側に向けて突出する突出部となるように、前記第２の筐体よりも長く形成され、前記第１の筐体の前記突出部内には前記アンテナ部が内蔵され、前記アンテナ部は、前記突出部において、前記ヒンジ部から最遠の位置に配置されていることを特徴とする携帯無線機を提供する。
【手続補正９】
【補正対象書類名】明細書
【補正対象項目名】００３２
【補正方法】変更
【補正の内容】
【００３２】
本発明に係る携帯無線機によれば、アンテナ部は、突出部において、ヒンジ部から最も離れた端面近傍に配置されているので、或いは、アンテナ部は、突出部において、ヒンジ部から最遠の位置に配置されているので、第１の筐体と第２の筐体とを重ね合わせた状態のときに、第１の筐体の突出部が第２の筐体により覆われないようにでき、アンテナ部が第２の筐体から影響を受けることを防止することができ、アンテナ部のアンテナ特性の劣化を防止することができる。
【手続補正１０】
【補正対象書類名】明細書
【補正対象項目名】００３３
【補正方法】変更
【補正の内容】
【００３３】
加えて、このようにアンテナ部を第１の筐体のヒンジ部とは反対側の端部の突出部に配置することにより、第１の筐体の内部スペースの有効利用を図ることができる。第１の筐体のヒンジ部に近い方の端部には、フレキシブルプリント板からなる上下回路部接続部１８（図７参照）などが配置される関係上、スペースの余裕が少ないので、アンテナ部は本発明のようにヒンジ部とは反対側の端部に配置することが好ましい。
【手続補正１１】
【補正対象書類名】明細書
【補正対象項目名】００３４
【補正方法】変更
【補正の内容】
【００３４】
また、従来の折り畳み型携帯無線機におけるような筐体からのアンテナ部の突出をなくし、デザインの自由度を上げるとともに、ポケットなどから携帯無線機を取り出すときの引っかかりをなくすことが可能となる。
【手続補正１２】
【補正対象書類名】明細書
【補正対象項目名】００３５
【補正方法】変更
【補正の内容】
【００３５】
さらに、突出部内にはアンテナ部が内蔵されているので、通話状態の時に筐体を保持する手がアンテナに掛かりにくくなるため、アンテナ特性の劣化を防ぐことができる。
【手続補正１３】
【補正対象書類名】明細書
【補正対象項目名】００３６
【補正方法】変更
【補正の内容】
【００３６】
前記第１の筐体には更に回路基板を内蔵し、前記アンテナ部は、前記回路基板に対して略垂直に広がる面内に配置することができる。
【手続補正１４】
【補正対象書類名】明細書
【補正対象項目名】００３７
【補正方法】変更
【補正の内容】
【００３７】
本発明の携帯無線機は、前記ヒンジ部を介して揺動可能に形成した折り畳み型携帯無線機として構成することができる。
【手続補正１５】
【補正対象書類名】明細書
【補正対象項目名】００３８
【補正方法】変更
【補正の内容】
【００３８】
前記アンテナ部は、その長手方向が前記ヒンジ部のヒンジ軸方向に沿うように配置することができる。
【手続補正１６】
【補正対象書類名】明細書
【補正対象項目名】００３９
【補正方法】変更
【補正の内容】
【００３９】
前記第１の筐体は、該第１の筐体と前記第２の筐体とを相互に重ね合わせた重ね合わせ状態のときに下部に位置する下部筐体として構成する一方で、前記第２の筐体は、前記重ね合わせ状態のときに上部に位置する上部筐体として構成することができる。
【手続補正１７】
【補正対象書類名】明細書
【補正対象項目名】００４０
【補正方法】変更
【補正の内容】
【００４０】
前記第１の筐体に内蔵された回路基板には無線回路が備えられた構造とすることができる。これによりアンテナ部と回路基板とが同一の筐体に実装されることになるため、従来必要とされていたアンテナ部と下部筐体回路部とを接続する同軸ケーブルが組み込まれない構成となり、組み立て効率（生産性）を向上させることが可能となり、筐体内部の空間を有効利用することが可能となる。
【手続補正１８】
【補正対象書類名】明細書
【補正対象項目名】００４１
【補正方法】変更
【補正の内容】
【００４１】
前記第１の筐体にはキー操作部が備えられた構成とすることができる。
【手続補正１９】
【補正対象書類名】明細書
【補正対象項目名】００４５
【補正方法】削除
【補正の内容】
【手続補正２０】
【補正対象書類名】明細書
【補正対象項目名】００４６
【補正方法】削除
【補正の内容】
【手続補正２１】
【補正対象書類名】明細書
【補正対象項目名】００５２
【補正方法】変更
【補正の内容】
【００５２】
以上説明したように、本発明に係る携帯無線機によれば、以下に挙げるような効果を得ることが可能である。
【手続補正２２】
【補正対象書類名】明細書
【補正対象項目名】００５３
【補正方法】変更
【補正の内容】
【００５３】
先ず、第１の効果としては、下部筐体回路部の無線部とアンテナ部とを接続するための同軸ケーブルを不要とすることができ、携帯無線機の構造の簡素化及び組み立て性の向上、さらにはコスト低減を図ることができる。